(57)【要約】【課題】均一な明るさに効率良く形成することができる光学成形品１０及びその光学成形品１０を成形する光学成形品の成形用金型（光学成形品の射出成形用金型１或いはプレス成形用金型）を提供する。【解決手段】まず、光学成形品１０を成形する光学形成品の射出成形用金型１（２・３）の金型キャビティ面８ａ（分割型５のキャビティ天面部材６における転写面４を、所要の幅１３を有する短冊部材９を所要数個、一列に連結した状態で形成し、次に、金型キャビティ８内に加熱溶融化した樹脂材料を供給して冷却固化することにより、金型キャビティ８内で、金型キャビティ面８ａ（短冊部材９の面９ｃ）の所要形状を光学成形品１０の表面１０ａに転写することにより、光学成形品１０を成形することができる。【選択図】図２
2009154353.tif 000002
【特許請求の範囲】
【請求項１】
金型キャビティ面の所要形状を転写して光学成形品を成形する光学成形品の成形用金型であって、前記した金型キャビティ面を、所要の幅を有する短冊部材を、所要数個、一列に連結した状態で構成したことを特徴とする光学形成品の成形用金型。
【請求項２】
光学成形品の成形用金型における金型キャビティ面の所要形状を転写して成形される光学成形品であって、所要の幅を有する短冊部材を所要数個一列に連結した状態で構成した金型キャビティ面の所要形状を転写したことを特徴とする光学成形品。
【発明の詳細な説明】
【技術分野】
【０００１】
本発明は、例えば、射出成形用金型等の光学成形品の成形用金型を用いて成形されるシート状の光学部材等の光学成形品と、この光学成形品を成形する光学成形品の成形用金型の改良に関するものである。
【背景技術】
【０００２】
従来から、例えば、射出成形用金型、プレス成形用金型等を含む適宜な光学成形品の成形用金型を用いて、シート状（板状）の光学部材（所謂、光学シート）等の光学成形品を成形することが行われている。
また、昨今、薄型テレビ等に大画面化が要求されるようになり、テレビ画面用の光学成形品を成形する成形用キャビティの成形面（転写面）を大面積化することが求められている。
【０００３】
即ち、従来から、射出成形用金型を用いて、薄型テレビの大画面に採用される大面積光学シート（光学成形品）を成形用キャビティ内で射出成形することが行われている。
この場合、図３（１）に示すように、金型キャビティ面（転写面）５１は、比較的小面積スタンパ（図例では、正方形の平板）５２をマトリクス型に、スタンパ縦辺とスタンパ横辺とで連結して（継いで）形成されている。
即ち、この金型キャビティ面５１には、比較的小面積スタンパ５２を、横方向（Ｘ方向）に４個、縦方向（Ｙ方向）に３個、マトリクス型（合計１２枚）にされている。
また、マトリクス型配置の比較的小面積スタンパ５２は、そのＹ方向の縦辺連結部（継目）５３と、そのＸ方向の横辺連結部（継目）５４とで連結した状態で構成されている。
従って、まず、成形用キャビティ内に加熱溶融化した樹脂材料を注入充填し、次に、成形用キャビティ内の樹脂を冷却固化することにより、図３（２）に示すように、成形用キャビティの形状に対応した光学成形品５５（例えば、大面積光学シート）を射出成形することができる。
このとき、成形用キャビティ面（転写面）５１の形状を光学成形品５５における大面積化した表面５５ａに転写することができる。
また、例えば、この光学成形品（大面積光学シート）５５をテレビ等に装着して使用した場合、通常、光学成形品５５の一方の面（入光面）から他方の面（出光面となる表面５５ａ）に、（可視）光を透過させることになる。
なお、成形用キャビティ面に用いられる比較的小面積スタンパは、例えば、２００〜２５０ｍｍ角の大きさで形成されている。
【０００４】
【特許文献１】特開２０００−１５３５４３号
【発明の開示】
【発明が解決しようとする課題】
【０００５】
しかしながら、図３（２）に示すように、前述した成形用金型キャビティ内で成形された光学成形品５５（大面積光学シート）においては、金型キャビティ面に１２枚のスタンパ５２をマトリクス型に配置したため、このマトリクス型配置による連結部５３・５４（転写面５１）が光学成形品５５の表面５５ａ（被転写面）に転写されることになる。
即ち、光学成形品（大面積光学シート）５５の表面（出光面）５５ａにおける光の透過状態（明暗状態）について言及すると、光学成形品５５の表面５５ａに、金型キャビティ面５１の縦辺連結部５３と横辺連結部５４とに対応して、明暗の縞模様、即ち、縦方向（Ｙ方向）の暗部（暗線５６）と、横方向（Ｘ方向）の暗部（暗線５７）が現われることになる。
この場合、縦方向の暗部（暗線５６）と、横方向の暗部（暗線５７）とで、観賞上、人の目で明確に判別できる縞模様（明暗部）が出現することになる。
即ち、光学成形品（例えば、大面積光学シート）５５において、金型キャビティ５１の連結部５３・５４に対応する個所（暗線５６・５７）で光学特性が著しく悪化するため、観賞上、光学成形品５５の表面５５ａを効率良く均一に明るくすることができない。
従って、光学成形品の表面を均一な明るさに効率良く形成することができないと云う弊害がある。
【０００６】
また、光学成形品を成形するキャビティ面を超精密機械加工することによって光学成形品の表面を高品位の光学面に形成することが行われているが、光学成形品の面の大面積化と云う点では限界があった。
【０００７】
従って、本発明は、均一な明るさに効率良く形成することができる光学成形品及びその光学成形品を成形する光学成形品の成形用金型を提供することを目的とする。
【０００８】
なお、本発明は、光学成形品５５に（可視）光を透過させた場合において、従来例となる金型の連結部５３・５４に対応した明暗の縞模様を形成する縦方向と横方向との双方向の暗部（暗線５６・５７）を、一方向に揃えて構成することにより、この一方向の暗部（暗線）にて、観賞上、人の目で明確に判別できないように構成するものである。
従って、本発明は、連結部に対応した明暗の縞模様を形成する暗部（暗線）を一方向に揃えて、観賞上、人の目で明確に判別できないように構成することにより、光学成形品の表面（出光面）を均一な明るさに効率良く形成するものである。
また、本発明は、金型キャビティ面を形成する所要数個の分割キャビティ面プレートに係るものであり、特に、光学成形品５５の大面積化に関するものである。
即ち、従来、正方形状の分割キャビティ面プレートとしてマトリクス型に配置して構成したものを、本発明にて、短冊状の分割キャビティ面プレート（短冊部材）として一方向（短冊部材の短辺方向）に配置して構成したものである。
従って、このように、短冊部材一列配置に構成することによって、光学成形品に（可視）光を透過した場合に、光学成形品（大面積光学シート）の表面（出光面）に現われる明暗の縞模様（一方向の暗線）を、観賞上、人の目で明確に判別できないように構成されているものであり、このことによって、光学成形品の表面を均一な明るさに効率良く形成するものである。
【課題を解決するための手段】
【０００９】
前記技術的課題を解決するための本発明に係る光学形成品の成形用金型は、金型キャビティ面の所要形状を転写して光学成形品を成形する光学成形品の成形用金型であって、前記した金型キャビティ面を、所要の幅を有する短冊部材を、所要数個、一列に連結した状態で形成したことを特徴とする。
【００１０】
また、前記した技術的課題を解決するための本発明に係る光学成形品は、光学成形品の成形用金型における金型キャビティ面の所要形状を転写して成形される光学成形品であって、所要の幅を有する短冊部材を所要数個一列に連結した状態で構成した金型キャビティ面の所要形状を転写したことを特徴とする。
【発明の効果】
【００１１】
本発明によれば、均一な明るさに効率良く形成することができる光学成形品及びその光学成形品を成形する光学成形品の成形用金型を提供することができると云う優れた効果を奏する。
【発明を実施するための最良の形態】
【００１２】
以下、実施例図に基づいて、本発明を詳細に説明する。
図１（１）、図１（２）は、本発明に係る光学成形品の射出成形用金型（光学成形品の成形用金型）である。
図２（１）は、本発明に係る成形用金型キャビティ面（転写面）である。
図２（２）は、本発明に係る矩形状の光学成形品（例えば、光透過性を有する大面積光学シート）である。
【００１３】
（光学成形品の成形用金型の構成について）
本発明に係る光学成形品（シート状の光透過性を有する光学部材）を形成するには、適宜な光学成形品の成形用金型を用いることができる。
また、本発明に係る光学成形品を成形する光学成形品の成形用金型として、例えば、射出成形用金型、プレス成形用金型等を用いることができるが、本実施例では、図１（１）、図１（２）に示す光学成形品の射出成形用金型を用いて説明する。
なお、本実施例の図２（１）は従来の図３（１）に対応し、本実施例の図２（２）は従来の図３（２）に対応するものである。
【００１４】
（光学成形品の射出成形用金型の構成について）
即ち、図１（１）、図（２）に示すように、本実施例に係る射出成形用金型（光学成形品の成形用金型）１は、上型２と、上型２に対向配置した下型３とが設けられて構成されている。
また、上型２の型面には、転写面４（成形用金型キャビティ天面８ａ）を備えた分割型５が設けられると共に、分割型５は、キャビティ天面８ａを備えたキャビティ天面部材（キャビティ面部材）６と、このキャビティ天面部材６を保持する保持部材７とから構成されている。
また、下型３の型面には、光学成形品成形用の下型キャビティ（凹部）８が設けられて構成され、図２（１）に示すように、キャビティ底面８ｂは、（平面的には）矩形状の大面積光学シートの形状に対応して矩形状に形成され、図示はしていないが、キャビティ開口部８ｃも同様に矩形状である。
なお、図示はしていないが、この金型１（２・３）には、金型キャビティ８内に加熱溶融化した樹脂材料を注入充填する樹脂材料の注入充填手段と、この金型を加熱する加熱手段と、この金型を冷却する冷却手段とが設けられて構成されている。
【００１５】
（転写面を備えたキャビティ天面部材の構成について）
即ち、図２（１）に示すように、キャビティ天面８ａとなる転写面４を備えたキャビティ天面部材６は、その天面８ａ（転写面４）側において、所要の幅１３（短辺９ａ）を備えた短冊状のプレート部材（短冊部材９）が、所要数個、一列に（直列に）、整列且つ連結（接合）した状態で、着脱自在に設けられて構成されている。
また、これらの（整列）連結した所要数個の短冊部材９は保持部材７にて保持固定されるように構成されている。
図２（１）に示す図例では、１４個の短冊部材９がその長辺９ｂ（図例では縦方向となるＹ方向の辺）を連結部１１として、短冊部材９の短辺（９ａ）方向（図例では横方向となるＸ方向）に（整列）連結して保持固定することができるように設けられて構成されている。
また、図２（１）に示すように、矩形状のキャビティ天面８ａの縦方向（Ｙ方向）の辺の長さ（距離）は短冊部材の長辺９ｂの長さであって、短冊部材９（長辺９ｂ）が１個で形成されると共に、横方向（Ｘ方向）の長さは所要数個の短冊部材９の短辺９ａの長さを集合した長さ（図例では、短冊部材９の短辺９ａの長さに１４を乗じた長さ）である。
なお、キャビティ天面８ａ、即ち、短冊部材９の表面９ｃ（転写面４）は、例えば、鏡面にて形成されて構成され、成形用金型キャビティ８内で成形された光学成形品１０の表面１０ａ（出光面）に鏡面を転写することができるように構成されている。
【００１６】
（光学成形品の射出成形方法について）
即ち、まず、図１（１）に示す金型１（２・３）の型開状態から図１（２）に示すように、金型１（上下両型２・３）を型締めしてキャビティ８（空間部）を閉鎖する。
このとき、キャビティ天面８ａには連結部１１にて連結した状態の短冊部材９（分割型５）の面９ｃが転写面４（鏡面）として配設されて構成されている。
次に、加熱溶融化された樹脂材料を閉鎖キャビティ８内に注入充填して当該樹脂を冷却固化させると共に、金型１（上下両型２・３）を型開きすることにより、金型キャビティ８の形状に対応した光学成形品（大面積光学シート）１０を得ることができる。
従って、光学成形品の表面１０ａ（出光面）に、キャビティ天面８ａにおける所要数個の短冊部材９の面９ｃで構成される転写面４（鏡面）を転写することができる。
【００１７】
（作用効果について）
本実施例によれば、例えば、本発明に係る光学成形品の成形用金型（射出成形用金型１）で成形した光学成形品１０をテレビ画面に装着して表示させた場合、即ち、光学成形品１０の一方の面（入光面）１０ｂから他方の面（出光面）１０ａに、（可視）光を透過（通過）させた場合、金型キャビティ面８ａ（短冊部材９の面９ｃ）の連結部１１に沿って明暗の縞模様を形成する暗部（暗線１２）を一方向（Ｙ方向）に揃えて構成することができるものである。
なお、図２（２）に示す図例では、光学成形品１０の面（出光面）１０ａの上に、１３本の暗線１２が一方向（Ｙ方向）に揃って形成されている。
即ち、光学成形品１０に形成される明暗の縞模様の暗部（暗線１２）を一方向（Ｙ方向）に揃えることにより、観賞上、明暗の縞模様を人の目で明確に判別できない構成することができる。
また、光学成形品１０の表面１０ａに形成される暗部（暗線１２）を一方向に揃えることにより、即ち、図例ではＹ方向（縦方向に）揃えることにより、観賞上、明暗の縞模様（明暗部）を人の目で明確に判別できないように構成することができるので、光学成形品１０の表面１０ａの明るさを均一な明るさに効率良く形成することができる。
従って、本実施例によれば、均一な明るさに効率良く形成することができる光学成形品（大面積光学シート）１０及びその光学部品１０を成形する光学成形品の成形用金型（射出成形用金型１）を提供することができる。
【００１８】
〔キャビティ面となる転写面（短冊部材の面）の形状について〕
前記した実施例では転写面４を鏡面にて形成する構成を例示したが、転写面４（キャビティ面８ａ或いは短冊部材９の面９ｃ）を微細な凹凸形状で形成される所要形状にて構成することができる。
即ち、本実施例において、例えば、転写面４（キャビティ面８ａ或いは短冊部材９の面９ｃ）を所望の形状パターンを任意に選別して組み換えることができる。
なお、前記転写面４における微細な凹凸形状で形成される所要形状の構成について、例えば、フレネルレンズ形状、凸レンズ形状、凹レンズ形状、マイクロレンズアレイ形状等を採用することができる。
また、例えば、転写面４として、部分的に種々の光学パターンを有する高機能な複合パターン型の面を効率良く形成することができる。
また、本実施例において、比較的小面積（面９ｃ）となる短冊部材９を連結することによって、光学成形品（光学製品）の大面積化を効率良く図ることができる。
【００１９】
（他の光学成形品の成形用金型について）
また、前記した実施例では、金型キャビティ８内に樹脂を注入することによって光学成形品（大面積光学シート）を成形する旨が開示されているが、これに代えて、押圧パンチを用いる構成（光学成形品のプレス成形用金型）を採用することができる。
例えば、押圧パンチの押圧面（下面）となる転写面（短冊部材９の面９ｃ）を所要形状に形状し、まず、下型キャビティ内に樹脂シートを供給セットし、次に、押圧パンチを下動することにより、樹脂シートの上面に押圧面（転写面４）の所要形状をプレスして転写することができる。
なお、このプレス成形の例として、微細なパターンを高能率で転写できるインプリント成形、熱エンボス等の熱プレスが挙げられる。
【００２０】
本発明は、前述した実施例のものに限定されるものでなく、本発明の趣旨を逸脱しない範囲内で、必要に応じて、任意且つ適宜に変更・選択して採用できるものである。
【００２１】
（光学成形品について）
本実施例（本発明）に係る光学成形品は、シート状（或いは、板状）の光透過性を有する光学部材であって、例えば、薄型テレビ（画面）に備えられた光学シート、バックライト型の表示器に用いられる導光板等が挙げられる。
また、本実施例に係る光学成形品はシート状であって、光学成形品における光透過性を有する面を大面積化するものであり、本発明に係る光学部品の成形用金型は、例えば、大面積光学シートを形成するものである。
【００２２】
（短冊部材の幅について）
本実施例に用いられる短冊部材（９）の幅（９ａ）の長さ（距離）は、金型（１）で形成される光学成形品（１０）の種類、大きさ、用途によって異なるものであるが、形成される光学成形品（１０）における明暗の縞模様（一方向の暗線１２）が、人の目で明確に判別できなくなる短冊部材の幅９ａであれば良い。
例えば、大型の光学成形品（１０）を形成する場合、短冊部材９の幅９ａの長さは、概ね、数ｃｍである場合が多く、小型の光学成形品を形成する場合は、概ね、数ｍｍである場合が多い。
【００２３】
また、本実施例に用いられる短冊部材（９）の幅（９ａ）の長さ（距離）の一例について、大面積光学シート（光学成形品１０）を成形する場合、例えば、２０〜１００ｍｍを採用することができる。
【図面の簡単な説明】
【００２４】
【図１】図１（１）、図１（２）は、本発明に係る光学成形品の成形用金型（光学成形品の射出成形用金型）を概略的に示す概略縦断面図であって、図１（１）は前記した金型の型開状態を示し、図１（２）は前記した金型の型締状態を示している。
【図２】図２（１）は、図１（１）、図１（２）に示す金型の要部となるキャビティ面を概略的に示す概略平面図であって、金型キャビティ面を形成する短冊部材の連結状態を示すと共に、図２（１）は、図１（１）、図１（２）、図２（１）に示す金型（キャビティ面）で成形された光学成形品を概略的に示す概略平面図であって、前記した光学成形品の表面に形成される光の透過状態（明暗の縞模様を形成する暗線）を示している。
【図３】図３（１）は、従来の光学成形品の成形用金型（光学成形品の射出成形用金型）を概略的に示す概略縦断面図であって、前記した金型のキャビティ面において、比較的小面積スタンパをマトリクス型に連結した状態を示し、図３（２）は、図３（１）で示す金型（キャビティ面）で成形された従来の光学成形品を概略的に示す概略平面図であって、前記した光学成形品の表面に形成される光の透過状態（明暗の縞模様を形成する暗線）を示している。
【符号の説明】
【００２５】
１    光学成形品の射出成形用金型（光学成形品の成形用金型）
２    上型
３    下型
４    転写面
５    分割型
６    キャビティ天面部材（キャビティ面部材）
７    保持部材
８    キャビティ（凹部）
８ａ  キャビティ天面（キャビティ面）
８ｂ  キャビティ底面
８ｃ  キャビティ開口部
９    短冊部材
９ａ  短辺（短冊部材）
９ｂ  長辺（短冊部材）
９ｃ  面（短冊部材）
１０    光学成形品
１０ａ  表面（他方の面）
１０ｂ  一方の面
１１    連結部
１２    暗線（暗部）
１３    幅（短冊部材）
【図１】
2009154353.tif 000003
【図２】
2009154353.tif 000004
【図３】
2009154353.tif 000005